(57)【要約】【課題】  小売店舗でスルメを展示販売する際に、スルメ全体の大きさ正確に且つ強調して購入者の視覚に認識させることができるスルメ吊り下げ展示用の包装袋を提供する。【解決手段】  スルメ１を収納可能な幅と長さを備えた長方形の表裏２枚のプラスチックフィルムを重ね、両側面部シール２０ｂと底面の下部シール２０ｃの３面を貼着して袋状に形成すると共に、袋の中央部に袋の表裏内面を両側面から中央に向けて区画シール２０ｅで部分的に貼着して中央に狭窄部Ｂを設け、袋の上部からスルメ１を収納し、狭窄部Ｂの上側にスルメ身部１ａを保持させて袋上部を上部シール２０ａとして貼着密封することにより吊下げ展示に際してスルメ１が包装袋の下部にずり落ちない構造としていることを特徴とする。【選択図】  図１
0003132452.tif 000002
【実用新案登録請求の範囲】
【請求項１】
吊り下げ販売用のスルメ包装袋であって、スルメを収納可能な幅と長さを備えた長方形の表裏２枚のプラスチックフィルムを重ね、両側面と底面の３面を貼着して袋状に形成すると共に、袋の中央部に袋の表裏内面を両側面から中央に向けて部分的に貼着して中央に狭窄部を設け、袋の上部からスルメを収納し、狭窄部の上側に身部を保持させて袋上部を貼着密封することにより吊下げ展示に際してスルメが包装袋の下部にずり落ちない構造としていることを特徴とするスルメ吊り下げ販売包装袋。
【請求項２】
前記吊り下げ販売包装袋に収納されるスルメが複数枚である場合は、左右のスルメ身部をお互いに重ね、スルメ脚部が横並びとなるように結んで収納することにより複数枚による袋厚みを抑えることを特徴とする請求項１記載のスルメ吊り下げ販売包装袋。
【請求項３】
前記プラスチックフィルムは、ポリプロピレン、ポリエチレンテレフタート、ポリアミド、ナイロン、塩化ビニール、エチレン一酢酸ビニール共重合体のいずれかを用い、前記貼着は、ヒートシール、インパルスシールまたは超音波シールのいずれかによることを特徴とする請求項１記載のスルメ吊り下げ販売包装袋。
【考案の詳細な説明】
【技術分野】
【０００１】
本考案は、１枚または複数枚のスルメを収納して販売するに当り、吊り下げ展示可能なスルメの包装袋に関するものであって、より詳しくは、スルメ包装袋の内部構造に関する。
【背景技術】
【０００２】
従来、スルメはイカの加工品として古来より冷凍設備が発達する近来まで広く利用されてきた。一般家庭では、松前漬、麹醤油漬、裂きイカ、中華スープ具材などの主材料として広く利用されており、一般の食品スーパーでは、常備販売品目とされている。  
【０００３】
一般小売店におけるスルメの販売形態は、１枚ないし４、５枚単位のするめを袋に封入して吊り下げて店舗内に展示して販売されている。
【０００４】
図３は、スルメの従来の販売形態の模式図である。図において従来のスルメ包装袋２０は、スルメを収納可能な幅と長さを備えた長方形の表裏２枚のプラスチックフィルムを重ね、袋の上部シール２０ａと、両側面の側面部シール２０ｂをヒートシールして袋状とし、開いている下部からスルメを封入して袋の下部シール２０ｃをヒートシールして包装されていた。
【０００５】
スルメを封入した際は、想像線で示した位置スルメ１´に封入された袋内のスルメは、販売のために吊下げ孔２０ｄを展示吊金具５０に通して吊り下げられている間に、スルメの重みで、スルメ脚部１ｂが袋の下方にずり落ちて下部シール２０ｃに接するまで下がり、スルメ１のスルメ身部１ａも袋内の下方にずり落ち、スルメ包装袋２０の上部に大きな空隙Ａが生じていた。
【０００６】
図２は、スルメ１を１枚のみ示したが、３枚〜５枚をまとめて封入する一般的な場合は、スルメの身部１ａの重量により、ほとんどの場合下方にずり落ちて、スルメ１の本来の大きさに形成されたスルメ包装袋２０上部の空隙Ａがさらに目立つ状態となっていた。
【０００７】
このため、吊り下げて展示されているスルメが、相対的に小さく見え、さらに内容量が少ない印象を与えていた。スルメの価格は、産地とともに、その大きさが大きな要素となっており、本来の大きさに合わせて作成された包装袋も、逆に内容物のスルメをランク下の大きさに見せてしまう問題があった。
【０００８】
従来、乾燥したスルメ、イカの燻製、チーズ、ドライソーセージ等の乾燥した食品を販売する際に使用するための包装用袋に関して、内部の食品が包装袋に偏らず収納するため凸凹が形成されたプラスチックトレーを用いていた嵩張りを解決する保持シートの発明が特許文献１に開示されている。しかし、姿のままのスルメの包装袋については、偏りを解決する提案はなく、前述の問題が生じていた。
【０００９】
【特許文献１】特開２００２−５３１７４号公報（第２頁、第１図）
【考案の開示】
【考案が解決しようとする課題】
【００１０】
本考案は、小売店舗でスルメを展示販売する際に、スルメ全体の大きさ正確に且つ強調して購入者の視覚に認識させることができるスルメ吊り下げ展示用の包装袋を提供する。
【課題を解決するための手段】
【００１１】
本考案のスルメ吊り下げ販売包装袋は、吊り下げ販売用のスルメ包装袋であって、スルメを収納可能な幅と長さを備えた長方形の表裏２枚のプラスチックフィルムを重ね、両側面と底面の３面を貼着して袋状に形成すると共に、袋の中央部に袋の表裏内面を両側面から中央に向けて部分的に貼着して中央に狭窄部を設け、袋の上部からスルメを収納し、狭窄部の上側に身部を保持させて袋上部を貼着密封することにより吊下げ展示に際してスルメが包装袋の下部にずり落ちない構造としていることを特徴とする。
【００１２】
前記吊り下げ販売包装袋に収納されるスルメが複数枚である場合は、左右のスルメ身部をお互いに重ね、スルメ脚部が横並びとなるように結んで収納することにより複数枚による袋厚みを抑えることを特徴とする。
【００１３】
前記プラスチックフィルムは、ポリプロピレン、ポリエチレンテレフタート、ポリアミド、ナイロン、塩化ビニール、エチレン一酢酸ビニール共重合体のいずれかを用い、前記貼着は、ヒートシール、インパルスシールまたは超音波シールのいずれかによることを特徴とする。
【考案の効果】
【００１４】
本考案のスルメ吊り下げ展示用の包装袋によれば、吊下げ展示しても、袋内でスルメが下方にずり落ちることがなく、スルメ全体の大きさ正確に且つ強調して購入者の視覚に認識させることができる。
【００１５】
また、複数枚のスルメを収納する際には、２枚単位で並列され、購入者の収納枚数の確認が容易となると共に、展示袋の厚みを抑制することができる。
【考案を実施するための最良の形態】
【００１６】
以下、図面を参照して本考案のスルメ吊り下げ販売包装袋の実施の形態を説明する。
【００１７】
図１は、本考案のスルメ吊り下げ販売包装袋の実施の形態を示す正面図である。
【００１８】
本考案のスルメ吊り下げ販売包装袋２１は、先ず、長方形の表裏２枚のプラスチックフィルムを重ね、両側面と底面をヒートシールして側面部シール２０ｂと下部シール２０ｃにより袋状に形成すると共に、袋の中央部に袋の表裏内面を両側面から中央に向けて部分的にヒートシールで貼着して区画シール２０ｅを形成し、中央に狭窄部Ｂを設ける。
【００１９】
区画シール２０ｅの上部は、収納するスルメ１のスルメ身部１ａの大きさに合わせた寸法、下部は、スルメ脚部１ｂの長さにあわせた寸法とする。
【００２０】
中央の狭窄部Ｂは、スルメ脚部１ｂを収納時に通過させる幅で、開かれたスルメ身部１ａは通過できない幅とする。
【００２１】
前記プラスチックフィルムは、ポリプロピレン、ポリエチレンテレフタート、ポリアミド、ナイロン、塩化ビニール、エチレン一酢酸ビニール共重合体のいずれを用いてもよい。
【００２２】
なお、これらのプラスチックフィルムは、透明なものを用い、内部に収納されたスルメ１が見えるようにすることが望ましい。
【００２３】
前記貼着は、ヒートシールに限らず、インパルスシールまたは超音波シールで行うこともできる。
【００２４】
両側面と底面の３面を貼着して袋状に形成されたスルメ吊り下げ販売包装袋２０に、スルメ１を収納し、狭窄部Ｂの上側にスルメ身部１ａを保持させて袋上部をヒートシールして上部シール２０ａで密封する。
【００２５】
上部シール２０ａの中央部には、吊下げ孔２０ｄが設けられ、販売棚の展示吊下げ金具５０（図３参照）に通して吊り下げられる。
【００２６】
本考案によれば、区画シール２０ｅに、開かれたスルメ身部１ａが保持され、ずり落ちることがない。このため、吊下げ展示しても、スルメ全体の大きさ正確に且つ強調して購入者の視覚に認識させることができる。
【００２７】
図２は、複数枚のスルメを収納するスルメ吊り下げ販売包装袋の正面図である。
【００２８】
通常、複数枚のスルメ１をまとめて包装袋に収納して販売単位とされている。図２は、４枚のスルメ１を収納したスルメ吊り下げ販売包装袋２２を示す。
【００２９】
スルメ吊り下げ販売包装袋２２は、袋が左右のスルメ身部１ａをお互いに重ねて収容される幅を有し、狭窄部Ｂの幅が、横並びにされたスルメ脚部１ｂが挿入される幅に形成されている。
【００３０】
この場合、左右のスルメ身部１ａをお互いに重ね、スルメ脚部１ｂが横並びとなるように紐２３で結んで収納することにより複数枚による袋厚みを抑えると共に、購入者に収納枚数の確認を容易とさせる効果を呈する。
【図面の簡単な説明】
【００３１】
【図１】本考案のスルメ吊り下げ販売包装袋の実施の形態を示す正面図である。
【図２】複数枚のスルメを収納するスルメ吊り下げ販売包装袋の正面図である。
【図３】スルメの従来の販売形態の模式図である。
【符号の説明】
【００３２】
１    スルメ
１´  封入時の位置
１ａ  スルメ身部
１ｂ  スルメ脚部
２０    従来のスルメ包装袋
２０ａ  上部シール
２０ｂ  側面部シール
２０ｃ  下部シール
２０ｄ  吊下げ孔
２０ｅ  区画シール
２１    スルメ吊り下げ販売包装袋
２２    スルメ吊り下げ販売包装袋
２３    紐
Ａ      空隙
Ｂ      狭窄部
【図１】
0003132452.tif 000003
【図２】
0003132452.tif 000004
【図３】
0003132452.tif 000005